(57)【特許請求の範囲】
【請求項１】
路面に立設された合成樹脂からなる弾性変形可能な支柱に、合成樹脂からなる弾性変形可能な表示板が取付けられ、
前記表示板には、前記表示板の表示面の背面に前記支柱を挟むように左右方向に離間して突設された、前記表示板を前記支柱に取付けるための一対の取付板が設けられ、
前記一対の取付板に設けられたネジ止め用の取付孔にネジを螺入して、前記支柱本体と前記表示板とがネジ止めされて取り付けられる
ことを特徴とする表示装置。
【請求項２】
前記一対の取付板は、弾性変形可能な合成樹脂からなる
ことを特徴とする請求項１に記載の表示装置。
【発明の詳細な説明】
【技術分野】
【０００１】
本発明は、例えば、道路の路側や歩行帯、敷地内の通路、公園内、遊歩道、自転車道等の路面に設置される表示装置に関するものである。
【背景技術】
【０００２】
従来、歩道や公園等への車両の進入を物理的又は心理的に防止する車止めや、また公園の入り口付近に設置され例えば災害時の避難場所を示す表示板、と言った表示装置に関しては、数多くの発明がなされており、また車止めの支柱部を弾性を有する合成樹脂により形成したものについての発明もまた種々なされている。
【０００３】
例えば、特許文献１には、路面に立設される支柱本体の側面に内面が取付けられる側部を備え、該側部の外面には表示板を取付けるための取付面が形成されている表示取付具と支柱本体とを備えた標識柱が開示されている。
【先行技術文献】
【特許文献】
【０００４】
【特許文献１】特開２００９−４６８５０号公報
【発明の概要】
【発明が解決しようとする課題】
【０００５】
しかしながら、上記の従来の標識柱である表示装置は、例えば歩行者や自転車の運転者が表示装置に衝突した際、支柱本体及び表示取付具は弾性を有するため問題はないが、表示板については何ら考慮されておらず、歩行者や自転車の運転者がケガをしたり、表示板が破損したりする場合があった。
【０００６】
本発明は、前記の如き課題を解消し、例えば歩行者や自転車の運転者が衝突しても、ケガをすることなく、また表示装置自体が破損することのない表示装置を提供せんとするものである。
【課題を解決するための手段】
【０００７】
上記目的を達成するために、本発明は次のような構成としている。
【０００８】
すなわち、本発明に係る表示装置は、路面に立設された合成樹脂からなる弾性変形可能な支柱に、合成樹脂からなる弾性変形可能な表示板が取付けられ、前記表示板には、前記表示板の表示面の背面に前記支柱を挟むように左右方向に離間して突設された、前記表示板を前記支柱に取付けるための一対の取付板が設けられ、前記一対の取付板に設けられたネジ止め用の取付孔にネジを螺入して、前記支柱本体と前記表示板とがネジ止めされて取り付けられることを特徴とするものである。また、本発明に係る表示装置は、前記一対の取付板が、弾性変形可能な合成樹脂からなることを特徴とするものである。なお、硬度については、ＪＩＳ  Ｋ  ７２１５（−１９８６）に規定されるデュロメータ硬さを測定する方法により測定したものを表す。
【０００９】
また本発明に係る表示装置は、前記表示板の上端面には、該表示板の表示面に対して直角に延びて、該表示板の中央を示すマーキングが施されていることを特徴とするものである。
【発明の効果】
【００１０】
本発明によれば、路面に立設された合成樹脂からなる弾性変形可能な支柱に、合成樹脂からなる弾性変形可能な表示板が取付けられているため、歩行者や自転車の運転者が当該表示装置に衝突しても、その衝突の加圧力を受け支柱及び表示板が弾性変形し、歩行者や自転車の運転者がケガをすることがなく、また加圧力が除去されると表示装置は破損することなく元の状態に復元するため、表示機能を失うことがなく、長期に亘る使用に耐えうるものとなる。
【００１１】
ここで、弾性変形可能とは、加圧力によって変形した状態から、その加圧力が除去されると、完全に元の状態には戻らなくても良いが、少なくとも元の状態に近い状態に復元することを言う。
【００１２】
また本発明によれば、支柱の側面に内面が取付けられる表示板取付具を外嵌し、該表示板取付具の被取付面に、前記表示板の表示面の背面に突設した取付板をネジ止めされて取付け、該取付板に設けたネジ止め用の取付孔の周縁部を、表示板のそれ以外の部分に比べ硬度の高い合成樹脂によって形成しているため、歩行者や自転車が表示装置に衝突し、表示板が弾性変形した際に、ネジ止めしている取付孔の周縁部だけは殆ど変形することなく強固にネジ止めされているので、表示板が表示板取付具から脱落するのを防止することができる。
【００１３】
また本発明によれば、表示板の上端面に、該表示板の表示面に対して直角に延びて、該表示板の中央を示すマーキングを施しているため、表示装置を路面に設置する作業を行う際、道路線形に沿う方向にマーキングを合わせることにより、歩行者や自転車の運転者にとって表示板が見やすい向きである表示板の表示面が歩行者等に対向する様に設置する作業を効率よく確実に実施することができる。
【図面の簡単な説明】
【００１４】
【図１】本発明に係る表示装置の一実施形態を示す正面図である。
【図２】図１の側面図である。
【図３】図１に示す形態を構成する表示板の背面図である。
【図４】図１に示す形態を構成する表示板の側面図である。
【図５】図１に示す形態を構成する表示板の平面図である。
【図６】図１に示す形態を構成する表示板の底面図である。
【図７】図１に示す形態を構成する表示板の横断面図である。
【図８】図１に示す形態を構成する表示板の縦断面図である。
【図９】図１に示す形態を構成する表示板取付具の斜視図である。
【発明を実施するための形態】
【００１５】
次に、本発明を実施するための最良の形態について図面を参照し、具体的に説明する。
【００１６】
図１，２に示す様に、本発明に係る表示装置Ｐは、路面に立設された合成樹脂からなる弾性変形可能な支柱１と、支柱１の側面である外周面１０ａにその内面が当接された表示板取付具２と、該表示板取付具２を介して前記支柱１に取付けられた合成樹脂からなる弾性変形可能な表示板３と、を備えてなる。
【００１７】
支柱１の外周面１０ａには表示板取付具２が外嵌され、該表示板取付具２に設けられた被取付面２１に、前記表示板３の表示面３１の背面３２に突設された取付板３３に設けられた取付孔３４にネジＢを螺入して、支柱本体１０と表示板取付具２と表示板３とがネジ止めされて取付けられている。
【００１８】
支柱１は支柱本体１０とその上端部に配置される支柱キャップ１１とその下部に配置されるベース部１２とを備えている。支柱本体１０は、弾性を有する筒体（本実施形態では、弾性を有する円筒体）であり、例えばポリウレタン系合成樹脂等の弾性を有する合成樹脂材料からなる。この構成により、支柱本体１０は、歩行者や自転車または車両の衝突等の強い外力がかかると折れ曲がり、且つ前記外力が除去されるとその弾性により復元するように構成されている。また支柱本体１０は、後に詳述する表示板取付具２よりも軟質である。換言すると、表示板取付具２は支柱本体１０よりも硬質の弾性合成樹脂体である。
【００１９】
支柱１の支柱キャップ１１及びベース部１２の外周面には、リング状の帯状体にガラスビーズが間隔を空けて配置された再帰反射体１３が外周面の周方向全周に亘って設けられている。かかる再帰反射体１３が設けられることにより、注意喚起をより一層図ることができる。
次に、支柱本体１０に表示板取付具２を介して取付けられる表示板３の構成を説明する。
【００２０】
図１，３，４に示す様に、表示板３は、正面視矩形板状に形成された表示面３１と、該表示面３１の背面３２に上下を逆転させた対称形状に突設された一対の取付板３３とを備え、前記取付板３３には、表示板取付具２を介して表示板３を支柱本体１０にネジ止めするための取付孔３４が形成されている。
【００２１】
そして、該取付孔３４の周縁部３５は、表示板３のそれ以外の部分に比べ硬度の高い合成樹脂によって形成されている。かようにすることで、歩行者や自転車が表示装置Ｐに衝突し、表示板３が弾性変形した際に、ネジ止めしている取付孔３４の周縁部３５だけは殆ど変形することなく強固にネジ止めされているので、表示板３が表示板取付具２から脱落するのを防止することができる。
【００２２】
なお、取付孔３４の周縁部３５とは、取付孔３４の縁部のみならず、表示板３を表示板取付具２を介して支柱本体１０に取付ける際に用いるネジＢのネジ頭が取付孔３４周辺を押え付ける部分をも含む。更には、その部分より外方に広がった部分を含んでもよく、要は、支柱本体１０に取付けられた表示板３が外力を受けて弾性変形した際に、取付孔３４周辺が変形し取付孔３４が拡径されて、固定用のネジＢのネジ頭から表示板３が脱落しないようになされていればよい。
【００２３】
例えば、表示板３をクロロプレンゴムで形成する場合には、ＪＩＳ  Ｋ 
７２１５（−１９８６）に規定されるデュロメータ硬さを測定する方法によりその硬度を測定して、取付孔３４の周縁部３５の硬度が９０度のものを用い、取付孔３４の周縁部３５以外の硬度が８０度のものを用いて形成すればよい。
【００２４】
また、図３，５，６に示す様に、表示板３の上端面３６及び下端面３７には、該表示板３の表示面３１に対して直角に延びて、該表示板３の中央を示すマーキングである凹溝３８が設けられている。なお、本実施形態においては、表示板３の中央を示すマーキングは凹溝３８であるが、これに限定されるものではなく、凸条であってもよいし、凹部或いは凸部が微少な間隔を空けて直線上に連続的に設けられたものであってもよい。
【００２５】
かように、表示板３の上端面３７に、表示板３の中央を示すマーキングである凹溝３８を設けることによって、表示装置Ｐを路面に設置する作業を行う際、道路線形に沿う方向にマーキングである凹溝３８を合わせることにより、歩行者や自転車の運転者にとって表示板３が見やすい向きである表示板３の表示面３１が歩行者等に対向する様に設置する作業を効率よく確実に実施することができる。
【００２６】
なお表示板３は、弾性変形可能な合成樹脂、例えばポリウレタン系合成樹脂やクロロプレンゴム等のエラストマー等にて形成されて、支柱本体１０同様、歩行者や自転車または車両の衝突等の強い外力がかかると折れ曲がり、且つ前記外力が除去されるとその弾性により復元するように構成されており、歩行者や自転車の運転者がケガをすることがない。
【００２７】
表示板３の表示面３１は、歩道部と自転車道部の識別案内標識、警戒標識、規制標識、指示標識、又は補助標識などの道路標識として用いられる。したがってその表面に、通行する者に注意喚起等するための文字、図柄、色彩等Ｍが表記される。
【００２８】
この文字、図柄、色彩等Ｍは、通常、裏面側に接着層が設けられたシートＳの表面側に形成されており、該シートＳを表示板３の表示面３１に貼着して表示板３が形成される。図１，７，８に示す如く、表示面３１の縁部３１１は四角の額縁状に突設されて、表示面３１のシートＳを貼着する貼着部３１２から略９０°で縁部３１１が立ち上がるように形成されている。かようにすることによって、シートＳを表示面３１に貼着する際、縁部３１１の貼着部３１２側の上端、下端、もしくは側端にシートＳを突き当ててシート貼着部３１２にシートＳを貼着することができるので、貼着作業を確実に且つ効率的に実施することができる。
【００２９】
図３に示す様に、表示板３の背面３２の中央付近には、上下左右方向に複数のリブ３２１が形成されている。当該リブ３２１によって、弾性変形可能な材料で形成されている表示板３の剛性を向上させると共に、図２に示す様に、表示板３を支柱本体１０に取付けた際、表示板３の背面３２と支柱本体１０とに形成される隙間を無くすことができ、外観上好ましい。
図３に示す様に、上側の取付板３３ａと下側の取付板３３ｂは、上下を逆転させた対称形状に形成されている。
【００３０】
すなわち上側の取付板３３ａは、水平板３３１ａと、この水平板３３１ａの左右両側端部からそれぞれ垂下する垂下側板３３２，３３２とから一体的に形成されており、下側の取付板３３ｂは、上側の取付板３３ａに対して上下逆転した形状であり、水平板３３１ｂと、この水平板３３１ｂの左右両側端部からそれぞれ上方に立上がる立上側壁３３３，３３３とから一体的に形成されている。
【００３１】
また図５〜７に示す様に、水平板３３１ａ、３３１ｂそれぞれは、その支柱本体１０側の面が支柱本体１０の外周面１０ａの曲率にほぼ倣うように湾曲形状となされている。
【００３２】
そして、左右の垂下側壁３３２，３３２どうしの左右方向での離間幅、左右の立上側壁３３３，３３３どうしの左右方向での離間幅は同一であり、この離間幅は表示面３１の左右幅に比べて小さく設定されている。
【００３３】
さらに図２〜４に示す様に、垂下側壁３３２の下方と立上側壁３３２の上方には、それぞれ目隠し壁３３４（３３４ａ，３３４ｂ）が延設されている。目隠し壁３３４を形成することによって、表示板３を支柱本体１０に取付けた際、表示板３の背面３２と支柱本体１０とに形成される隙間を無くすことができ、外観上好ましい。
次に、図２，９を用いて表示板取付具２の構成を説明する。
【００３４】
表示板取付具２は、支柱本体１０の上下方向途中および上部に配置されている。上側の表示板取付具２は、その内周面が支柱本体１０の上部に外嵌固定され、下側の表示板取付具２は支柱本体１０の上下方向途中に摺動自在に外嵌されている。
【００３５】
何れの表示板取付具２も弾性を有する合成樹脂、例えばポリウレタン系合成樹脂にて構成されており、上下両方向に開口した挿通孔２１を備える略筒形状に形成されている。そして、表示板３の背面３２が当接される支持面２３を備えた被取付部２４が前方に向けて延設されている。さらに具体的には、被取付部２４は、軸線Ｘ１が上下に沿う円筒部２５の外周一部から円筒部２５の径方向外側へ延設されている。この被取付部２４において、支柱本体１０（挿通孔２１）から最も離間した端面が前記支持面２３とされている。つまり被取付部２４の延設方向の先端面が、支持面２３となっている。また、支持面２３は、円筒部２５の軸線Ｘ１方向に平行な面であり、上下方向に沿った平坦面となっている。
【００３６】
円筒部２５は、その上下両端面が軸線Ｘ１方向に垂直となるように形成されている。かかる円筒部２５の孔である挿通孔２１は上下に開口しており、挿通孔２１を形成する面は凹凸のない滑らかな面となっている。
【００３７】
被取付部２４は、円筒部２５の略半周に亘る領域が径方向外方へ延設されて形成されており、したがって円筒部２５と被取付部２４とは、接線状に連続して一体となっている。
【００３８】
支持面２３は、上下方向の長さ（円筒部２５の軸線Ｘ１方向に沿った長さ）が円筒部２５の上下方向の長さと略等しく、幅方向の長さが円筒部２５の外径の長さと略等しくなるように形成されている。
【００３９】
また支持面２３には、凹部２６が設けられている。凹部２６は、被取付部２４を先端側からくり抜いて形成されており、所定間隔で複数設けられている。かかる凹部２６を設けることによって、表示板取付具２を製造する際の歪みを吸収することができる。
【００４０】
被取付部２４の平面視形状は、水平板３３１ａ，３３１ｂと相対形状に形成されている。また、被取付部２４の左右幅は、上側および下側の取付板３３ａ，３３ｂのそれぞれの垂下側壁３３２，３３２、立上側壁３３３，３３３の左右離間幅に比べてわずかに小さく設定されている。
【００４１】
この構成により、上側の取付板３３ａが上側の表示板取付具２の被取付部２４を上方および側方で覆う（外嵌合される）ようになっており、上側の取付板３３ａの水平板３３１ａが上側の表示板取付具２の被取付部２４の上面に載置可能になっている。また、下側の取付板３３ｂが下側の表示板取付具２の被取付部２４を下方および側方で覆う（外嵌合される）ようになっている。
このような構成の表示板取付具２を用いて、表示板３を支柱本体１０に固定するには、次のようにして行う。
【００４２】
上側の取付板３３ａの水平板３３１ａで上側の表示板取付具２の被取付部２４をその上方で覆い、上側の取付板３３ａの垂下側壁３３２，３３２で被取付部２４をその側方を覆うようにして、上側の取付板３３ａを上側の表示板取付具２の被取付部２４に前方から外嵌する。このとき、上側の取付板３３ａの水平板３３１ａを上側の表示板取付具２の被取付部２４の上面に載置するようにすることができる。
【００４３】
同時に、下側の取付板３３ｂの水平板３３１ｂで下側の表示板取付具２の被取付部２４をその下方で覆い、下側の取付板３３ｂの立上側壁３３３，３３３で被取付部２４をその側方を覆うようにして、下側の取付板３３ｂを上側の表示板取付具２の被取付部２４に前方から外嵌する。
【００４４】
この際、道路線形に沿う方向にマーキングである凹溝３８の向きを合わせて、歩行者や自転車の運転者にとって表示板３が見やすい向きである表示板３の表示面３１を歩行者等に対向する様になす。
【００４５】
そして、上側の取付板３３ａにおいては、その垂下側壁３３２，３３２の取付孔３４，３４からタッピングネジＢを挿入して、表示板取付具２の被取付面２１に螺入し、下側の取付板３３ｂにおいては、その立上側壁３３３，３３３の取付孔３４，３４からタッピングネジＢを挿入して、表示板取付具２の被取付面２１に螺入する。
【００４６】
ここで、表示板取付具２の被取付面２１は、本実施形態においては円筒部２５の側面となっているが、これに限定されるものではなく、被取付部２４の側面２４ａまたは上面２４ｂまたは下面２４ｃであってもよい。更には、表示板３の表示面３１側からネジＢを螺入させて表示板３を取付ける、つまり被取付部２４の支持面２３を被取付面２１としてもよい。
【００４７】
この時、取付孔３４の周縁部３５が、表示板３のそれ以外の部分に比べ硬度の高い合成樹脂によって形成されているので、タッピングネジＢを螺入しても、取付孔３４が拡径されることなく、表示板３が表示板取付具２を介して支柱本体１０に強固に固定される。
【００４８】
上記のようにして表示板３を支柱本体１０に固定するとき、上側の取付板３３ａの水平板３３１ａを上側の表示板取付具２の被取付部２４の上面に載置するようにすれば、表示板３を表示板取付具２に仮置きした状態とすることができる。これによって、ネジＢによる表示板３の表示板取付具２への固定作業が行い易く、少ない労力でしかも正確に表示板３を表示板取付具２に固定することができる。
【産業上の利用可能性】
【００４９】
本発明によれば、路面に立設された合成樹脂からなる弾性変形可能な支柱に、合成樹脂からなる弾性変形可能な表示板が取付けられているため、歩行者や自転車の運転者が当該表示装置に衝突しても、その衝突の加圧力を受け支柱及び表示板が弾性変形し、歩行者や自転車の運転者がケガをすることがなく、また加圧力が除去されると表示装置は破損することなく元の状態に復元するため、表示機能を失うことがなく、長期に亘る使用に耐えうる表示装置として好適に利用できる。
【符号の説明】
【００５０】
１        支柱
１０      支柱本体
１０ａ    外周面
１１      支柱キャップ
１２      ベース部
１３      再帰反射体
２        表示板取付具
２１      被取付面
２２      挿通孔
２３      支持面
２４      被取付部
２４ａ    側面
２４ｂ    上面
２４ｃ    下面
２５      円筒部
２６      凹部
３        表示板
３１      表示面
３１１    縁部
３１２    シート貼着部
３２      背面
３２１    リブ
３３      取付板
３３ａ    取付板
３３ｂ    取付板
３３１    水平板
３３１ａ  水平板
３３１ｂ  水平板
３３２    垂下側板
３３３    立上側壁
３３４    目隠し壁
３３４ａ  目隠し壁
３３４ｂ  目隠し壁
３４      取付孔
３５      周縁部
３６      上端面
３７      下端面
３８      凹溝
Ｐ        表示装置
Ｍ        文字、図柄、色彩等
Ｂ        ネジ
Ｓ        シート
【図１】
0005568161.tif 000002
【図２】
0005568161.tif 000003
【図３】
0005568161.tif 000004
【図４】
0005568161.tif 000005
【図５】
0005568161.tif 000006
【図６】
0005568161.tif 000007
【図７】
0005568161.tif 000008
【図８】
0005568161.tif 000009
【図９】
0005568161.tif 000010